(57)【要約】【課題】角形二次電池を確実に保持して位置決め精度を向上させると共に、電池容器に応力集中が生じることを防止しつつ、電池容器の膨張を抑制することができる組電池を提供する。【解決手段】扁平箱型の電池容器２内に正負の電極を捲回した電極群が収容配置された複数の角形二次電池１００を、厚さ方向にスペーサ１０３を介在させて積層させた組電池であって、スペーサ１０３は、電池容器２の幅広側面１ｂの幅方向端部領域Ｒ１に当接する当接部１２０と、幅広側面１ｂの幅方向中間領域Ｒ２に対向する対向部１２２と、幅広側面１ｂの幅方向（Ｙ方向）において対向部１２２の両端に隣接する傾斜面１２１とを有し、傾斜面１２１は、幅方向端部領域Ｒ１から幅方向中間領域Ｒ２に向かう方向において、スペーサ１０３の厚さＴ１が減少するように傾斜している。【選択図】図７
2015064959.tif 000002
【特許請求の範囲】
【請求項１】
扁平箱型の電池容器内に正負の電極を捲回した電極群が収容配置された複数の角形二次電池を、厚さ方向にスペーサを介在させて積層させた組電池であって、
前記スペーサは、前記電池容器の幅広側面の幅方向端部領域に当接する当接部と、前記幅広側面の幅方向中間領域に対向する対向部と、前記幅広側面の幅方向において前記対向部の両端に隣接する傾斜面とを有し、
前記傾斜面は、前記幅方向端部領域から前記幅方向中間領域に向かう方向において、前記スペーサの厚みが減少するように傾斜していることを特徴とする組電池。
【請求項２】
前記傾斜面は、前記幅広側面の高さ方向端部領域と高さ方向中間領域の少なくとも一方に対向する位置で、前記幅広側面の幅方向において前記当接部と前記対向部との間に設けられていることを特徴とする請求項１に記載の組電池。
【請求項３】
前記幅広側面の幅方向に沿う前記当接部の長さは、前記高さ方向中間領域から前記高さ方向端部領域に向かう方向において漸次長くなることを特徴とする請求項２に記載の組電池。
【請求項４】
前記幅広側面の幅方向に沿う前記対向部の長さは、前記高さ方向端部領域から前記高さ方向中間領域に向かう方向において漸次長くなることを特徴とする請求項１に記載の組電池。
【請求項５】
前記スペーサは、前記高さ方向端部領域に対向する位置に前記当接部、前記傾斜面および前記対向部を有し、前記高さ方向中間領域に対向する位置に前記傾斜面および前記対向部を有することを特徴とする請求項４に記載の組電池。
【請求項６】
前記スペーサは、前記高さ方向端部領域に対向する位置に前記当接部および前記対向部を有し、前記高さ方向中間領域に対向する位置に前記傾斜面および前記対向部を有することを特徴とする請求項４に記載の組電池。
【請求項７】
前記スペーサは、前記幅広側面の高さ方向において複数に分割されていることを特徴とする請求項１から請求項６のいずれか一項に記載の組電池。
【発明の詳細な説明】
【技術分野】
【０００１】
本発明は、例えばスペーサを介在させて複数の角形二次電池を積層させた組電池に関する。
【背景技術】
【０００２】
従来、再充電可能な二次電池の分野では、鉛電池、ニッケル−カドミウム電池、ニッケル−水素電池等の水溶液系電池が主流であった。しかしながら、電気機器の小型化、軽量化が進むにつれ、高いエネルギー密度を有するリチウムイオン二次電池が着目され、その研究、開発及び商品化が急速に進められている。
【０００３】
また、地球温暖化や枯渇燃料の観点から、電気自動車（EV）や駆動の一部を電気モータで補助するハイブリッド電気自動車（HEV）が各自動車メーカーで開発され、その電源として高容量で高出力の二次電池が求められるようになってきた。このような要求に合致する電源として、高電圧の非水溶液系のリチウムイオン二次電池が注目されている。特に角形リチウムイオン二次電池はパック化した際の体積効率が優れているため、HEVまたはEV用として角形リチウムイオン二次電池の開発への期待が高まっている。
【０００４】
HEVまたはEV用などの大電流用途では、電池の発熱は避けられず、電池の冷却が必要となる。一般的には、複数の電池を直列およびまたは並列に電気的に接続して構成される組電池の各電池間に隙間を設け、その隙間に空気などの冷却媒体を流すことで電池の冷却を行っている。また、組電池を構成する個々の電池は、電池容器内に収容されている電極材料が充電に伴って膨張することで、電池容器が膨張することがある。
【０００５】
電池容器の膨張を抑制することができる組電池として、各二次電池の外面のうち最大面積の側面（被圧迫面）が部分的に圧迫された状態で、二次電池が拘束されている二次電池アセンブリが開示されている（下記特許文献１参照）。
【０００６】
特許文献１に記載の二次電池アセンブリは、大電流の充放電を繰り返すハイレートで使用される二次電池において、被圧迫面の面圧を均一に保持して二次電池の劣化を抑制することを課題とし、その解決手段として接触部材と拘束部材とを有している。接触部材は、被圧迫面に接触する、離散的に設けられた複数の接触部を有している。接触部は、被圧迫面に向かって連結部から突出して形成されており、捲回状の電極体における捲回軸方向の中央寄りの部位に対応する、両方の片寄り領域の間の中央領域にて被圧迫面をより弱く圧迫する形状または配置そのものとされている。具体的には、接触部材は、被圧迫面に接触する頂面が中央で凹となるように湾曲し、被圧迫面への圧迫力をその面内の箇所によって異ならせることが記載されている。一方で、接触部材は、単電池のケースの端部に接触せず、ケースの端部を圧迫しないように、各部材の配置が決定されることが記載されている。
【先行技術文献】
【特許文献】
【０００７】
【特許文献１】国際公開第２０１１／１５８３４１号
【発明の概要】
【発明が解決しようとする課題】
【０００８】
特許文献１に記載の二次電池アセンブリでは、接触部材が単電池の被圧迫面を圧迫することで被圧迫面の膨張が抑制されるが、単電池のケースの端部が固定されていないため、車載時の振動等により単電池が移動しやすくなるなど、単電池の位置決めに課題がある。一方で、単電池のケースの端部に圧力を加えて端部を保持した場合、ケースに応力集中が発生する虞がある。
【０００９】
本発明は、前記課題に鑑みてなされたものであり、角形二次電池を確実に保持して位置決め精度を向上させると共に、電池容器に応力集中が生じることを防止しつつ、電池容器の膨張を抑制することができる組電池を提供することを目的とする。
【課題を解決するための手段】
【００１０】
前記目的を達成すべく、本発明の組電池は、扁平箱型の電池容器内に正負の電極を捲回した電極群が収容配置された複数の角形二次電池を、厚さ方向にスペーサを介在させて積層させた組電池であって、前記スペーサは、前記電池容器の幅広側面の幅方向端部領域に当接する当接部と、前記幅広側面の幅方向中間領域に対向する対向部と、前記幅広側面の幅方向において前記対向部の両端に隣接する傾斜面とを有し、前記傾斜面は、前記幅方向端部領域から前記幅方向中間領域に向かう方向において、前記スペーサの厚みが減少するように傾斜していることを特徴とする。
【発明の効果】
【００１１】
本発明の組電池によれば、角形二次電池の電池容器の幅広側面の幅方向端部領域をスペーサの当接部間で確実に保持して位置決め精度を向上させると共に、スペーサの傾斜面によって電池容器に応力集中が生じることを防止しつつ、該幅広側面の幅方向中間領域に対向する対向部によって電池容器の膨張を抑制することができる。
【図面の簡単な説明】
【００１２】
【図１】角形二次電池の外観斜視図。
【図２】角形二次電池の分解斜視図。
【図３】捲回群の展開斜視図。
【図４】実施形態１に係る角形二次電池モジュールの外観斜視図。
【図５】図４に示すモジュールの一対のセルホルダと角形二次電池の組立斜視図。
【図６】図４に示すモジュールの分解斜視図。
【図７】図４に示すモジュールのスペーサの断面図。
【図８】図４に示すモジュールのスペーサと角形二次電池との位置関係を示す正面図。
【図９】実施形態２に係るモジュールの角形二次電池とスペーサの位置関係を示す正面図。
【図１０】実施形態３に係るモジュールのスペーサと角形二次電池との位置関係を示す正面図。
【図１１】実施形態４に係るモジュールのスペーサと角形二次電池との位置関係を示す正面図。
【図１２】実施形態５に係るモジュールのスペーサと角形二次電池とスペーサの位置関係を示す正面図。
【図１３】実施形態６に係るモジュールの分解斜視図。
【図１４】実施形態６に係るモジュールのスペーサと角形二次電池との位置関係を示す正面図。
【図１５】実施形態７に係るモジュールのスペーサと角形二次電池との位置関係を示す正面図。
【図１６】実施形態８に係るモジュールのスペーサと角形二次電池との位置関係を示す正面図。
【図１７】実施形態９に係るモジュールのスペーサと角形二次電池との位置関係を示す正面図。
【図１８】実施例１０に係るモジュールのスペーサと角形二次電池との位置関係を示す正面図。
【発明を実施するための形態】
【００１３】
以下、図面を参照して本発明の組電池である角形二次電池モジュールの実施形態について説明する。
【００１４】
[実施形態１]
（角形二次電池）
まず、本実施形態の角形二次電池モジュールが備える角形二次電池について説明する。図１は蓄電素子の一実施の形態としての角形二次電池１００の外観斜視図であり、図２は角形二次電池１００の構成を示す分解斜視図である。図３は、角形二次電池１００が備える捲回群３の展開斜視図である。
【００１５】
図１に示すように、角形二次電池１００は、電池缶１と電池蓋６とからなる電池容器２を備えている。電池缶１および電池蓋６の材質は、アルミニウムまたはアルミニウム合金などである。電池缶１は、金属材料に深絞り加工を施すことによって、一面が開口された直方体形状の扁平箱型に形成されている。電池缶１は、長方形状の底面１ｄと、底面１ｄの一対の長辺のそれぞれに隣接する一対の幅広側面１ｂと、底面１ｄの一対の短辺のそれぞれに隣接する一対の幅狭側面１ｃとを有している。
【００１６】
電池蓋６は、矩形平板状であって、電池缶１の開口を塞いでレーザ溶接されている。つまり、電池蓋６は、電池缶１の開口を封止している。また、電池蓋６は、捲回群３の正極電極３４（図３参照）と電気的に接続された正極側端子構成部６０と、捲回群３の負極電極３２（図３参照）と電気的に接続された負極側端子構成部７０を備えている。
【００１７】
正極側端子構成部６０は、正極ボルト１４、正極接続端子６２、正極外部端子６３、正極側外部絶縁体２４および電池缶１の内部に配置されるガスケット（図示せず）、正極集電体１８０から構成される。正極ボルト１４、正極外部端子６３、正極接続端子６２、ガスケットおよび正極集電体１８０は、一体的に固定され、電池蓋６に取り付けられている。この状態において、正極集電体１８０、正極接続端子６２、正極外部端子６３は、電気的に接続されている。また、正極集電体１８０、正極接続端子６２、正極外部端子６３は、正極側外部絶縁体２４およびガスケットにより電池蓋６から絶縁されている。
【００１８】
負極側端子構成部７０は、負極ボルト１２、負極接続端子７２、負極外部端子７３、負極側外部絶縁体２２および電池缶１の内部に配置されるガスケット（図示せず）、負極集電体１９０から構成される。負極側端子構成部７０は、正極側端子構成部６０と同様な構造であり、負極ボルト１２、負極外部端子７３、負極接続端子７２および負極集電体１９０は、一体的に固定され、電池蓋６に取り付けられている。この状態において、負極集電体１９０、負極接続端子７２、負極外部端子７３は、電気的に接続されている。また、負極集電体１９０、負極接続端子７２、負極外部端子７３は、負極側外部絶縁体２２およびガスケットにより電池蓋６から絶縁されている。
【００１９】
なお、正極ボルト１４及び負極ボルト１２は、それぞれ電池蓋６の外部に突出しており、さらにねじ構造を有している。そのため組電池を作成する場合には、穴または切り欠きが設けられたバスバー（図示せず）に正極ボルト１４又は負極ボルト１２を挿通させ、ナットで組みつける構造となる。これにより、正極外部端子６３または負極外部端子７３とバスバーが電気的に接続される。
【００２０】
また、電池蓋６には、ガス排出弁１０が設けられている。ガス排出弁１０は、プレス加工によって電池蓋６を部分的に薄肉化することで形成されている。なお、薄膜部材を電池蓋６の開口にレーザ溶接等により取り付けて、薄膜部材の薄肉部分をガス排出弁としてもよい。ガス排出弁１０は、角形二次電池１００が過充電等の異常により発熱してガスが発生し、電池容器内の圧力が上昇して所定圧力に達したときに開裂して、内部からガスを排出することで電池容器内の圧力を低減させる。
【００２１】
さらに、電池蓋６には、電池容器内に電解液を注入するための注液孔（不図示）が穿設されている。注液孔は、電解液注入後に注液栓１１によって封止される。電解液としては、たとえば、エチレンカーボネート等の炭酸エステル系の有機溶媒に６フッ化リン酸リチウム（ＬｉＰＦ６）等のリチウム塩が溶解された非水電解液を用いることができる。
【００２２】
次に、電池缶１の内部構造について説明する。図２に示すように、電池缶１には蓋組立体１０７に保持された捲回電極群３（以下、捲回群ともいう。）が収容されている。捲回群３の正極電極３４（図３参照）に接合される正極集電体１８０および捲回群３の負極電極３２（図３参照）に接合される負極集電体１９０ならびに捲回群３は、絶縁ケース１０８に覆われた状態で電池缶１に収容されている。
【００２３】
絶縁ケース１０８の材質は、ポリプロピレン等の絶縁性を有する樹脂であり、電池缶１と、捲回群３とは絶縁ケース１０８によって電気的に絶縁されている。なお、本実施形態では絶縁ケース１０８は捲回群３の幅広側面を覆う絶縁ケース幅広部１０８ａと、捲回群３の側面部を覆う２つの絶縁ケース側面部１０８ｂから構成されるが、絶縁ケース幅広部１０８ａと絶縁ケース側面部１０８ｂを一体とする構造であっても良い。
【００２４】
蓋組立体１０７は、正極集電体１８０、正極接続端子６２、正極外部端子６３、正極ボルト１４、正極側外部絶縁体２４、負極集電体１９０、負極接続端子７２、負極外部端子７３、負極ボルト１２、負極側外部絶縁体２２、ガスケット及び電池蓋６を一体に組み立てたものである。
【００２５】
正極外部端子６３は正極集電体１８０を介して捲回群３の正極電極３４（図３参照）に電気的に接続され、負極外部端子７３は負極集電体１９０を介して捲回群３の負極電極３２（図３参照）に電気的に接続されている。これにより、正極外部端子６３および負極外部端子７３を介して捲回群３から外部機器に電力が供給され、あるいは、正極外部端子６３および負極外部端子７３を介して外部発電電力が捲回群３に供給されて充電される。
【００２６】
正極集電体１８０は、アルミニウムまたはアルミニウム合金により形成されている。正極集電体１８０は、電池蓋６の下面に沿って取り付けられる平板状の座面部１８１と、座面部１８１の幅方向両端部でそれぞれ下方にほぼ９０°に折曲された一対の平面部１８２と、これら一対の平面部１８２の先端にそれぞれ形成された平坦状の接合平面部１８３を有する。各接合平面部１８３は、捲回群３に超音波溶接により接合される。接合平面部１８３は、それぞれ、平面部１８２に対して傾斜した角度に折曲されている。一対の接合平面部１８３は、電池蓋６の長辺方向中央側から外側に向かって移行するにしたがって電池蓋６の短辺方向に互いに離反するように傾斜しており、傾斜方向は相互に逆方向であるが中心面に対して同一の角度であり、線対称となっている。一対の接合平面部１８３は、その間に捲回群３の正極箔露出部３４ｂが挿入され、捲回群３の正極箔露出部３４ｂをＶ字状に開いた状態で、正極箔露出部３４ｂに超音波溶接により接合される。
【００２７】
負極集電体１９０は、銅または銅合金により形成されているが、正極集電体１８０と同じ構造を有している。負極集電体１９０は、電池蓋６の下面に沿って取り付けられる平板状の座面部１９１と、座面部１９１の幅方向両端部でそれぞれ下方にほぼ９０°に折曲された一対の平面部１９２と、これら一対の平面部１９２の先端にそれぞれ形成された平坦状の接合平面部１９３を有する。各接合平面部１９３は、捲回群３に超音波溶接により接合される。接合平面部１９３は、それぞれ、平面部１９２に対して傾斜した角度に折曲されている。一対の接合平面部１９２は、電池蓋６の長辺方向中央側から外側に向かって移行するにしたがって電池蓋６の短辺方向に互いに離反するように傾斜しており、傾斜方向は相互に逆方向であるが中心面に対して同一の角度であり、線対称となっている。一対の接合平面部１９３は、その間に捲回群３の負極箔露出部３２ｂが挿入され、捲回群３の負極箔露出部３２ｂをＶ字状に開いた状態で、負極箔露出部３２ｂに超音波溶接により接合される。
【００２８】
次に、捲回群３について説明する。図３は、捲回群３の巻き終り側を展開した状態を示している。発電要素である捲回群３は、長尺状の正極電極３４および負極電極３２を、セパレータ３３、３５を介在させて捲回中心軸Ｗ周りに扁平形状に捲回することで積層構造とされている。
【００２９】
正極電極３４は、正極集電体である正極箔の両面に正極活物質合剤を塗布した正極合剤層３４ａを有し、正極箔の幅方向一方側の端部には、正極活物質合剤を塗布しない正極箔露出部３４ｂが設けられている。負極電極３２は、負極集電体である負極箔の両面に負極活物質合剤を塗布した負極合剤層３２ａを有し、負極箔の幅方向他方側の端部には、負極活物質合剤を塗布しない負極箔露出部３２ｂが設けられている。正極箔露出部３４ｂと負極箔露出部３２ｂは、電極箔の金属面が露出した領域であり、捲回中心軸Ｗ方向（図３の幅方向）の一方側と他方側の位置に配置されるように捲回される。
【００３０】
負極電極３２に関しては、負極活物質として非晶質炭素粉末１００重量部に対して、結着剤として１０重量部のポリフッ化ビニリデン（以下、ＰＶＤＦという。）を添加し、これに分散溶媒としてＮ−メチルピロリドン（以下、ＮＭＰという。）を添加、混練した負極合剤を作製した。この負極合剤を厚さ１０μｍの銅箔（負極箔）の両面に溶接部（負極箔露出部３２ｂ）を残して塗布した。その後、乾燥、プレス、裁断工程を経て、銅箔を含まない負極活物質塗布部厚さ７０μｍの負極電極３２を得た。
【００３１】
尚、本実施形態では、負極活物質に非晶質炭素を用いる場合について例示したが、これに限定されるものではなく、リチウムイオンを挿入、脱離可能な天然黒鉛や、人造の各種黒鉛材、コークスなどの炭素質材料やＳｉやＳｎなどの化合物（例えば、ＳｉＯ、ＴｉＳｉ２等）、またはそれの複合材料でもよく、その粒子形状においても、鱗片状、球状、繊維状、塊状等、特に制限されるものではない。
【００３２】
正極電極３４に関しては、正極活物質としてマンガン酸リチウム（化学式ＬｉＭｎ２Ｏ４）１００重量部に対し、導電材として１０重量部の鱗片状黒鉛と結着剤として１０重量部のＰＶＤＦとを添加し、これに分散溶媒としてＮＭＰを添加、混練した正極合剤を作製した。この正極合剤を厚さ２０μｍのアルミニウム箔（正極箔）の両面に溶接部（正極箔露出部３４ｂ）を残して塗布した。その後、乾燥、プレス、裁断工程を経て、アルミニウム箔を含まない正極活物質塗布部厚さ９０μｍの正極電極３４を得た。
【００３３】
また、本実施形態では、正極活物質にマンガン酸リチウムを用いる場合について例示したが、スピネル結晶構造を有する他のマンガン酸リチウムや一部を金属元素で置換又はドープしたリチウムマンガン複合酸化物や層状結晶構造を有すコバルト酸リチウムやチタン酸リチウムやこれらの一部を金属元素で置換またはドープしたリチウム-金属複合酸化物を用いるようにしてもよい。
【００３４】
また、本実施形態では、正極電極３４、負極電極３２における合剤層塗布部の結着材としてＰＶＤＦを用いる場合について例示したが、ポリテトラフルオロエチレン（ＰＴＦＥ）、ポリエチレン、ポリスチレン、ポリブタジエン、ブチルゴム、ニトリルゴム、スチレンブタジエンゴム、多硫化ゴム、ニトロセルロース、シアノエチルセルロース、各種ラテックス、アクリロニトリル、フッ化ビニル、フッ化ビニリデン、フッ化プロピレン、フッ化クロロプレン、アクリル系樹脂などの重合体およびこれらの混合体などを用いることができる。
【００３５】
捲回群３の幅方向、すなわち捲回方向に直交する捲回中心軸Ｗの方向の両端部は、一方が正極電極３４の積層部とされ、他方が負極電極３２の積層部とされている。一端に設けられる正極電極３４の積層部は、正極合剤層３４ａが形成されていない正極箔露出部３４ｂが積層されたものである。他端に設けられる負極電極３２の積層部は、負極合剤層３２ａが形成されていない負極箔露出部３２ｂが積層されたものである。正極箔露出部３４ｂの積層部および負極箔露出部３２ｂの積層部は、それぞれ予め押し潰され、上述したようにそれぞれ蓋組立体１０７の正極集電体１８０および負極集電体１９０に超音波接合により接続され、電極群組立体が形成される。
【００３６】
（組電池）
次に、本実施形態の組電池である角形二次電池モジュール２００について説明する。図４は、本実施形態のモジュール２００を示す斜視図である。以下では、モジュール２００を作製したときの角形二次電池１００の厚さ、幅、高さの方向を、それぞれＸ、Ｙ、Ｚ方向とする直交座標系を用いて説明する。
【００３７】
モジュール２００は、厚さ方向（Ｘ方向）に積層された複数の角形二次電池１００と、各角形二次電池１００を積層した状態に保持するセルホルダ９１を有している。セルホルダ９１は、例えば、ガラスエポキシ樹脂、ポリプロピレン、ポリブチレンテレフタレート樹脂などの樹脂材料や、アルミニウム、銅、ステンレスなどの金属材料によって構成することができる。
【００３８】
セルホルダ９１は、複数の中間セルホルダ９２と一対の端部セルホルダ９３とからなる。中間セルホルダ９２は、互いに隣り合う角形二次電池１００の間に介在される。端部セルホルダ９３は、中間セルホルダ９２に保持された複数の角形二次電池１００の積層方向の両端部に配置され、中間セルホルダ９２との間に角形二次電池１００を保持する。端部セルホルダ９３は、概ね中間セルホルダ９２を角形二次電池１００の幅広側面１ｂに平行な面で二分割した形状を有している。中間セルホルダ９２および端部セルホルダ９３が備える複数のスペーサ１０１，１０２，１０３と開口部１１１ａ，１１１ｂに関しては後述する。
【００３９】
図５は、一対の中間セルホルダ９２と角形二次電池１００との組み立て状態を示す斜視図である。図６は、図５に示す一対の中間セルホルダ９２と角形二次電池１００との分解状態を示す斜視図である。中間セルホルダ９２は、図５及び図６に示すように、それぞれ角形二次電池１００の電池缶１の一対の幅狭側面１ｃ，１ｃと対向する一対の側板１１１，１１１と、電池缶１の底面１ｄと対向する底板１１２とを有する。中間セルホルダ９２は、２つの角形二次電池１００の間に配置されるため、２つの角形二次電池１００の中間を通り電池缶１の幅広側面１ｂに平行な面に面対称な形状を有している。したがって、中間セルホルダ９２の側板１１１、底板１１２はそれぞれ、中間セルホルダ９２の両側に配置された２つの角形二次電池１００の幅狭側面１ｃおよび底面１ｄに対して、電池缶１の厚さ方向の約半分ずつ対向している。
【００４０】
一対の側板１１１，１１１は、電池缶１の幅広側面１ｂの幅方向（Ｙ方向）、すなわち角形二次電池１００の幅方向の両端部で対峙して、角形二次電池１００の積層方向（Ｘ方向）、すなわち角形二次電池１００の厚さ方向に延在している。底板１１２は、電池缶１の底面１ｄと垂直な方向（Ｚ方向）すなわち角形二次電池１００の高さ方向の下端部で、角形二次電池１００の積層方向に延在して二つの側板１１１の下端部間を連結している。また、角形二次電池１００の両側に配置された２つの中間セルホルダ９２，９２は、互いの側板１１１，１１１および底板１１２，１１２の端部が突き合わされるか僅かに隙間をあけて保持されることで、これらの間に角形二次電池１００を保持する空間が形成される。
【００４１】
一対の側板１１１，１１１は、複数のスペーサ１０１，１０２，１０３により連結されている。より詳細には、一対の側板１１１，１１１は、これらの下端部を連結する下端部スペーサ１０１と、これらの上端部を連結する上端部スペーサ１０２と、これらの中間部を連結する中間部スペーサ１０３とにより連結されている。下端部スペーサ１０１は、下端が底板１１２と連結されている。上端部スペーサ１０２は、電池蓋６から電池缶１に内蔵される捲回群３の電池蓋６側の湾曲部までの部分の高さに対応して、他のスペーサよりもＺ方向の幅が広くなっている。下端部スペーサ１０１と中間部スペーサ１０３との間隔及び上端部スペーサ１０２と中間部スペーサ１０３との間隔は、中間部スペーサ１０３同士の間隔よりも小さくなっている。各スペーサ１０１，１０２，１０３は、隣接する２つの電池缶１の間に配置される。すなわち、モジュール２００では、角形二次電池１００を、厚さ方向にスペーサ１０１，１０２，１０３を介在させて積層している。
【００４２】
側板１１１は、第１の開口部１１１ａと、第２の開口部１１１ｂと、を有している。第１の開口部１１１ａは、Ｚ方向において下端部スペーサ１０１と中間部スペーサ１０３との間の位置、および、上端部スペーサ１０２と中間部スペーサ１０３との間の位置に形成されている。第２の開口部１１１ｂは、Ｚ方向において中間部スペーサ１０３同士の間の位置に形成されている。第１の開口部１１１ａと第２の開口部１１１ｂはＸ方向の開口幅が等しくなっている。各開口部のＺ方向の開口高さは、各スペーサ１０１，１０２，１０３の間隔に対応して、第１の開口部１１１ａよりも第２の開口部１１１ｂの方が大きくなっている。
【００４３】
スペーサ１０１，１０２，１０３は、Ｚ方向に互いに間隔をあけて配置されることで、角形二次電池１００の電池缶１の幅広側面１ｂに沿ってその幅方向（Ｙ方向）に延びる複数のスリット１１４，１１５を形成している。各スペーサ１０１，１０２，１０３間の間隔に対応して、下端部スペーサ１０１と中間部スペーサ１０３との間及び上端部スペーサ１０２と中間部スペーサ１０３との間には、Ｚ方向の幅が比較的狭い第１のスリット１１４が形成されている。また、中間部スペーサ１０３同士の間には、Ｚ方向の幅が比較的広い第２のスリット１１５が形成されている。第１のスリット１１４は、二つの側板１１１の第１の開口部１１１ａを連通し、第２のスリット１１５は二つの側板１１１の第２の開口部１１１ｂを連通している。これにより、スリット１１４，１１５に冷却媒体を通過させ、角形二次電池１００の電池缶１の幅広側面１ｂを冷却できるようになっている。
【００４４】
（スペーサ）
以下、本実施形態の中間部スペーサ１０３の構成について詳細に説明する。図７は、図５に示す一対の中間セルホルダ９２，９２と角形二次電池１００の組み立て状態を示す斜視図において、中間部スペーサ１０３を含むようにＸＹ平面で中間セルホルダ９２，９２を切断した断面図である。
【００４５】
スペーサ１０３は、電池缶１の幅広側面１ｂの高さ方向（Ｚ方向）において複数に分割されている。具体的には、図５および６に示す例において、スペーサ１０３は４本に分割されている。スペーサ１０３は、図７に示すように、電池容器２を構成する電池缶１の幅広側面１ｂの幅方向端部領域Ｒ１に当接する当接部１２０と、幅広側面１ｂの幅方向中間領域Ｒ２に対向する対向部１２２と、幅広側面１ｂの幅方向（Ｙ方向）において対向部１２２の両端に隣接する傾斜面１２１とを有している。ここで、幅方向端部領域Ｒ１とは、電池缶１の幅広側面１ｂの幅方向端部から幅方向中央までの幅よりも狭い所定の幅を有する領域であり、幅方向中間領域Ｒ２とは、幅方向端部領域Ｒ１の間の領域である。
【００４６】
当接部１２０は、幅広側面１ｂの幅方向においてスペーサ１０３の両端部に設けられ、対向部１２２よりも角形二次電池１００の幅広側面１ｂに向けて突出している。すなわち、角形二次電池１００の厚さ方向（Ｘ方向）における当接部１２０の厚さＴ１は、対向部１２２の同方向の厚さＴ２よりも厚くなっている。これにより、対向する一対のスペーサ１０３，１０３において、当接部１２０，１２０間の間隔Ｄ１は、対向部１２２，１２２間の間隔Ｄ２よりも狭くなっている。換言すると、対向部１２２，１２２間の間隔Ｄ２は、当接部１２０，１２０間の間隔Ｄ１よりも広くなっている。また、電池缶１の幅広側面１ｂに対向する当接部１２０および対向部１２２の表面は、角形二次電池１００の幅方向（Ｙ方向）および高さ方向（Ｚ方向）に平行な平坦面とされている。
【００４７】
傾斜面１２１は、当接部１２０から対向部１２２に向かって、すなわち電池缶１の幅広側面１ｂの幅方向端部領域Ｒ１から幅方向中間領域Ｒ２に向かう方向において、角形二次電池１００の厚さ方向におけるスペーサ１０３の厚みが漸次減少するように傾斜している。すなわち、図７に示す例において、傾斜面１２１は、幅方向端部領域Ｒ１から幅方向中間領域Ｒ２に向かう方向において、スペーサ１０３の当接部１２０の厚さＴ１が減少するように傾斜している。傾斜面１２１は、図７に示す断面視で、例えばテーパ状に直線的に形成されても良く、ある曲率半径をもって当接部１２０と対向部１２２をつなぐような曲線状に形成されても良い。
【００４８】
図８は、セルホルダ９１を構成する中間セルホルダ９２および端部セルホルダ９３が備える４本の中間部スペーサ１０３と電池缶１の幅広側面１ｂとの位置関係を示す正面図である。なお、下端部スペーサ１０１および上端部スペーサ１０２を含む中間部スペーサ１０３以外のセルホルダ９１の構成は、図示を省略している。
【００４９】
当接部１２０は、４本のスペーサ１０３のそれぞれの両端に設けられ、電池缶１の幅広側面１ｂの幅方向端部領域Ｒ１と当接する。対向部１２２は、幅広側面１ｂの幅方向中間領域Ｒ２に対向している。幅広側面１ｂの幅方向において、当接部１２０の内側に傾斜面１２１が設けられ、傾斜面１２１の内側に対向部１２２が設けられている。傾斜面１２１は、幅広側面１ｂの高さ方向（Ｚ方向）の全体、すなわち高さ方向端部領域Ｈ１および中間領域Ｈ２に対向する位置で、幅広側面１ｂの幅方向（Ｙ方向）において当接部１２０と対向部１２２との間に設けられている。
【００５０】
ここで、高さ方向端部領域Ｈ１とは、電池缶１の幅広側面１ｂの上端または下端から高さ方向中央までの幅よりも狭い所定の幅を有する領域であり、高さ方向中間領域Ｈ２とは、幅広側面１ｂの高さ方向中央を含む、高さ方向端部領域Ｈ１，Ｈ１の間の領域である。当接部１２０、傾斜面１２１、および対向部１２２のＹ方向の長さは、４本のスペーサ１０３間で等しくなっている。
【００５１】
次に、本実施形態のスペーサ１０３の作用について説明する。組電池２００を構成する際に、個々の角形二次電池１００を充電すると、前記したように電池容器２を構成する電池缶１が膨張する。電池缶１が膨張したときの幅方向に沿う断面形状は、電池缶１の幅方向中央の膨らみが最も大きく、幅方向端部に向かって膨らみが漸次減少する形状になる。このように膨張した角形二次電池１００を、中間セルホルダ９２を介在させて積層させ、積層方向の両端部に端部セルホルダ９３を配置し、積層方向から圧縮荷重をかけて組電池２００を構成する。
【００５２】
その際に、中間セルホルダ９２および端部セルホルダ９３の中間部スペーサ１０３の当接部１２０が、電池缶１の幅広側面１ｂの幅方向端部領域Ｒ１に当接して電池缶１の厚さ方向に荷重を加える。これにより、電池缶１の幅広側面１ｂの幅方向端部領域Ｒ１における膨張が抑制されると共に、幅広側面１ｂの幅方向端部領域Ｒ１がスペーサ１０３の当接部１２０によって確実に保持されて位置決めされる。また、中間セルホルダ９２および端部セルホルダ９３の下端部スペーサ１０１および上端部スペーサ１０２によって、電池缶１の幅広側面１ｂの高さ方向端部領域Ｈ１が確実に保持されて位置決めされる。
【００５３】
さらに、膨張した電池缶１の厚さが、該電池缶１の厚さ方向の両側に対向する一対のスペーサ１０３，１０３の対向部１２２，１２２間の間隔Ｄ２よりも大きい場合には、対向部１２２と電池缶１の幅広側面１ｂが当接し、電池缶１の幅広側面１ｂ，１ｂが対向する一対の対向部１２２，１２２によって厚さ方向に圧縮される。これにより、電池容器２を構成する電池缶１の幅広側面１ｂの膨張を抑制することができ、電池性能の劣化を抑制することが可能となる。
【００５４】
また、本実施形態のスペーサ１０３は、図７に示すように、電池缶１の幅広側面１ｂの幅方向において対向部１２２に隣接する傾斜面１２１を有し、該傾斜面１２１は幅方向端部領域Ｒ１から幅方向中間領域Ｒ２に向かう方向において、スペーサ１０３の厚みが減少するように傾斜している。すなわち、傾斜面１２１は、中央部の厚みが最も厚くなる凸曲面状に膨張した電池缶１の幅広側面１ｂに沿って傾斜している。したがって、膨張した電池缶１の幅広側面１ｂをスペーサ１０３の当接部１２０または対向部１２２によって押圧する際に、スペーサ１０３によって電池缶１の幅広側面１ｂに応力集中が生じることを抑制できる。これにより、電池缶１の信頼性向上と電池性能の劣化抑制の両立が可能となる。
【００５５】
例えば、電池缶１の幅広側面１ｂの幅方向（Ｙ方向）に対する傾斜面１２１の傾斜角度が、電池缶１の膨張による幅広側面１ｂの傾斜角度よりも小さい場合には、傾斜面１２１を幅広側面１ｂに当接させ、幅広側面１ｂの膨張を抑制することができるだけでなく、傾斜面１２１が形成されていない場合と比較して、幅広側面１ｂに作用する応力を低減することができる。また、傾斜面１２１の傾斜角度が、電池缶１の幅広側面１ｂの傾斜角度と同程度であれば、実質的に傾斜面１２１の全体を幅広側面１ｂに当接させ、幅広側面１ｂに作用する応力をさらに低減できる。また、傾斜面１２１の傾斜角度が幅広側面１ｂの傾斜角度よりも大きい場合には、当接部１２０と対向部１２２との間において、スペーサ１０３と幅広側面１ｂとの接触が回避され、傾斜面１２１と電池缶１の幅広側面１ｂとの間に応力集中が生じることが防止される。
【００５６】
なお、一対の対向部１２２，１２２間の間隔Ｄ２は、角形二次電池１００の電池性能の劣化が生じるような膨張が電池缶１に発生した場合に、対向部１２２が電池缶１の幅広側面１ｂに当接して、電池缶１の膨張を抑制するように設定されている。したがって、電池性能に悪影響を及ぼすような膨張が電池缶１に生じない場合には、対向部１２２は電池缶１の幅広側面１ｂに当接しない。
【００５７】
以上説明したように、本実施形態の組電池である角形二次電池モジュール２００によれば、角形二次電池１００の電池容器２を構成する電池缶１の幅広側面１ｂの幅方向端部領域Ｒ１をスペーサ１０３，１０３の当接部１２０，１２０間で確実に保持して、角形二次電池１００の位置決め精度を向上させることができる。また、傾斜面１２１によって幅広側面１ｂへの応力集中を抑制しつつ、該幅広側面１ｂの幅方向中間領域Ｒ２に対向する対向部１２２によって電池容器２の膨張を抑制することができる。
【００５８】
[実施形態２]
次に、本発明の組電池の実施形態２について、図１から図７を援用し、図９を用いて説明する。図９は、実施形態１の図８に相当する、本実施形態の組電池である角形二次電池モジュールの角形二次電池１００と中間部スペーサ１０３，１０３ａとの位置関係を示す正面図である。
【００５９】
本実施形態のモジュールは、セルホルダ９１を構成する中間部セルホルダ９２および端部セルホルダ９３が備える中間部スペーサ１０３ａの構成が、前述の実施形態１の中間部スペーサ１０３と異なっている。本実施形態のモジュールのその他の点は、前述の実施形態１のモジュール２００と同一であるので、同一の部分には同一の符号を付して説明は省略する。
【００６０】
本実施形態において、電池缶１の幅広側面１ｂの高さ方向中間領域Ｈ２に対向する２本のスペーサ１０３，１０３は、実施形態１のスペーサ１０３と同一の構成を有している。一方、電池缶１の幅広側面１ｂの高さ方向端部領域Ｈ１，Ｈ１に対向する２本のスペーサ１０３ａ，１０３ａは、傾斜面１２１が形成されていない点で、実施形態１のスペーサ１０３と異なっている。
【００６１】
すなわち、本実施形態において、スペーサ１０３，１０３に設けられた傾斜面１２１は、電池缶１の幅広側面１ｂの高さ方向中間領域Ｈ２に対向する位置で、幅広側面１ｂの幅方向（Ｙ方向）において当接部１２０と対向部１２２との間に設けられている。また、幅広側面１ｂの高さ方向端部領域Ｈ１に対向するスペーサ１０３ａの幅広側面１ｂの幅方向における当接部１２０の長さＬ０は、それらの間のスペーサ１０３の当接部１２０の同方向の長さＬ０よりも長い。すなわち、幅広側面１ｂの幅方向に沿う当接部１２０の長さＬ０は、高さ方向中間領域Ｈ２から高さ方向端部領域Ｈ１に向かう方向において漸次長くなる。
【００６２】
電池缶１が膨張したときの電池缶１の厚さは、電池缶１の幅広側面１ｂの高さ方向（Ｚ方向）および幅方向（Ｙ方向）の中央で最も大きく、各方向の端部に行くほど小さくなる。そのため、本実施形態のモジュールのように、高さ方向端部領域Ｈ１に対向するスペーサ１０３ａにおいて傾斜面１２１を形成しなくても、電池缶１に応力集中が生じない場合がある。
【００６３】
したがって、本実施形態の組電池によれば、電池缶１の幅広側面１ｂの高さ方向中間領域に対向する実施形態１と同一の構成のスペーサ１０３を備えることで、実施形態１のモジュール２００と同様の効果を得られる。加えて、幅広側面１ｂの幅方向に沿う当接部１２０の長さＬ０は、高さ方向中間領域Ｈ２から高さ方向端部領域Ｈ１に向かう方向において漸次長くなるので、電池缶１の幅広側面１ｂの高さ方向端部領域Ｈ１において、スペーサ１０３ａの相対的に長い当接部１２０によって幅広側面１ｂの幅方向端部領域Ｒ１をより確実に保持することができる。
【００６４】
[実施形態３]
次に、本発明の組電池の実施形態３について、図１から図７を援用し、図１０を用いて説明する。図１０は、実施形態１の図８に相当する、本実施形態の組電池である角形二次電池モジュールの角形二次電池１００と中間部スペーサ１０３，１０３ｂとの位置関係を示す正面図である。
【００６５】
本実施形態のモジュールは、電池缶１の幅広側面１ｂの高さ方向中間領域Ｈ２に対向するスペーサ１０３ｂの対向部１２２の幅広側面１ｂの幅方向（Ｙ方向）における長さＬ２が、高さ方向端部領域Ｈ１に対向するスペーサ１０３の対向部１２２の同方向の長さＬ２よりも長い。すなわち、幅広側面１ｂの幅方向に沿う対向部１２２の長さＬ２は、高さ方向端部領域Ｈ１から高さ方向中間領域Ｈ２に向かう方向において漸次長くなる。
【００６６】
また、高さ方向端部領域Ｈ１に対向するスペーサ１０３の当接部１２０の同方向の長さＬ０は、高さ方向中間領域Ｈ２に対向するスペーサ１０３ｂの当接部１２０の同方向の長さＬ０よりも長い。すなわち、電池缶１の幅広側面１ｂの幅方向に沿う当接部１２０の長さＬ０は、高さ方向中間領域Ｈ２から高さ方向端部領域Ｈ１に向かう方向において漸次長くなる。本実施形態のモジュールのその他の点は、前述の実施形態１のモジュール２００と同一であるので、同一の部分には同一の符号を付して説明は省略する。
【００６７】
前記したように、電池缶１が膨張したときの電池缶１の厚さは、電池缶１の幅広側面１ｂの高さ方向および幅方向の中央で最も大きく、各方向の端部に行くほど小さくなる。本実施形態のモジュールによれば、前述の実施形態１のモジュール２００と同様の効果を得られるだけでなく、当接部１２０の長さＬ０を幅広側面１ｂの高さ方向中間領域Ｈ２から高さ方向端部領域Ｈ１に向かう方向において漸次長くすることで、電池缶１の高さ方向端部領域Ｈ１において相対的に長い当接部１２０によって幅方向端部領域Ｒ１をより確実に保持することができる。
【００６８】
また、電池缶１の幅広側面１ｂの幅方向に沿う対向部１２２の長さＬ２は、高さ方向端部領域Ｈ１から高さ方向中間領域Ｈ２に向かう方向において漸次長くなっているので、高さ方向中間領域Ｈ２において、当接部１２０の位置がスペーサ１０３ｂの両端部に近くなる。したがって、高さ方向中間領域Ｈ２において、電池缶１の幅広側面１ｂの幅方向端部領域Ｒ１における応力集中をより緩和することが可能になる。
【００６９】
[実施形態４]
次に、本発明の組電池の実施形態４について、図１から図７を援用し、図１１を用いて説明する。図１１は、実施形態１の図８に相当する、本実施形態の組電池である角形二次電池モジュールの角形二次電池１００と中間部スペーサ１０３，１０３ｃとの位置関係を示す正面図である。
【００７０】
本実施形態のモジュールは、中間部スペーサ１０３，１０３ｃのうち、高さ方向端部領域Ｈ１に対向する位置に配置されたスペーサ１０３は、実施形態１のスペーサ１０３と同様に当接部１２０、傾斜面１２１および対向部１２２を有する。一方、高さ方向中間領域Ｈ２に対向する位置に配置されたスペーサ１０３ｃは、傾斜面１２１および対向部１２２を有するが、当接部１２０を有していない。
【００７１】
すなわち、幅広側面１ｂの高さ方向端部領域Ｈ１に対向するスペーサ１０３において、傾斜面１２１は、幅広側面１ｂの幅方向において当接部１２０と対向部１２２との間に設けられている。一方、高さ方向中間領域Ｈ２に対向するスペーサ１０３ｃにおいて、傾斜面１２１は、電池缶１の幅広側面１ｂの幅方向両端部に設けられている。本実施形態のモジュールのその他の点は、前述の実施形態１のモジュール２００と同一であるので、同一の部分には同一の符号を付して説明は省略する。
【００７２】
前記したように、電池缶１が膨張したときの電池缶１の厚さは、電池缶１の幅広側面１ｂの高さ方向および幅方向の中央で最も大きく、各方向の端部に行くほど小さくなる。そのため、電池缶１の幅広側面１ｂの高さ方向端部領域Ｈ１に対向する位置に実施形態１と同様の構成のスペーサ１０３を有し、高さ方向中間領域Ｈ２に対向するスペーサ１０３ｃは当接部１２０を有さないことで、実施形態１のモジュール２００と同様の効果を得られるだけでなく、高さ方向中間領域Ｈ２における応力集中をより緩和することが可能になる。
【００７３】
[実施形態５]
次に、本発明の組電池の実施形態５について、図１から図７を援用し、図１２を用いて説明する。図１２は、実施形態１の図８に相当する、本実施形態の組電池である角形二次電池モジュールの角形二次電池１００と中間部スペーサ１０３ａ，１０３ｃとの位置関係を示す正面図である。
【００７４】
本実施形態のモジュールにおいて、電池缶１の幅広側面１ｂの高さ方向端部領域Ｈ１に対向するスペーサ１０３ａは、前述の実施形態２のスペーサ１０３ａと同様の構成を有し、幅広側面１ｂの高さ方向中間領域Ｈ２に対向するスペーサ１０３ｃは、前述の実施形態４のスペーサ１０３ｃと同様の構成を有している。
【００７５】
すなわち、中間部スペーサ１０３ａ，１０３ｃうち、高さ方向端部領域Ｈ１に対向する位置のスペーサ１０３ａは、当接部１２０および対向部１２２を有し、傾斜面１２１を有さない。一方、高さ方向中間領域Ｈ２に対向する位置のスペーサ１０３ｃは、傾斜面１２１および対向部１２２を有し、当接部１２０を有さない。本実施形態のモジュールのその他の点は、前述の実施形態１のモジュール２００と同一であるので、同一の部分には同一の符号を付して説明は省略する。
【００７６】
前記したように、電池缶１が膨張したときの電池缶１の厚さは、電池缶１の幅広側面１ｂの高さ方向および幅方向の中央で最も大きく、各方向の端部に行くほど小さくなる。本実施形態のモジュールによれば、電池缶１の幅広側面１ｂの高さ方向端部領域Ｈ１に対向する位置のスペーサ１３０ａが実施形態２のスペーサ１３０ａと同様の構成を有し、高さ方向中間領域Ｈ２に対向する位置のスペーサ１０３ｃが実施形態４のスペーサ１０３ｃと同様の構成を有することで、実施形態１のモジュール２００と同様の効果を得られるだけでなく、実施形態２および４のモジュールと同様の効果を得ることができる。
【００７７】
[実施形態６]
次に、本発明の組電池の実施形態６について、図１から図４を援用し、図１３および図１４を用いて説明する。図１３は、実施形態１の図６に相当する、本実施形態の組電池である角形二次電池モジュールの分解斜視図である。図１４は、実施形態１の図８に相当する、本実施形態のモジュールの角形二次電池１００と中間部スペーサ１０３ｄとの位置関係を示す正面図である。
【００７８】
本実施形態のモジュールの中間部スペーサ１０３ｄは、角形二次電池１００の高さ方向（Ｚ方向）において一体に設けられ、下端が下端部スペーサ１０１に連結され、上端が上端部スペーサ１０２に連結されている。また、中間部セルホルダ９２及び端部セルホルダ９３は、側板１１１の開口部１１１ａ，１１１ｂおよびスリット１１４，１１５に代えて、底板１１２に角形二次電池１００を冷却するための切り欠き部１１２ａを備えている。切り欠き部１１２ａは、角形二次電池１００をセルホルダ９１に組み込んだときに、電池缶１の底面１ｄをセルホルダ９２，９３の底板１１２から露出させて、角形二次電池１００の冷却を可能にしている。本実施形態のモジュールのその他の点は、前述の実施形態１のモジュール２００と同一であるので、同一の部分には同一の符号を付して説明は省略する。
【００７９】
本実施形態のスペーサ１０３ｄは、角形二次電池１００の高さ方向において一体的に設けられている以外は、図７および図８に示す実施形態１のスペーサ１０３と同様の構成を有している。すなわち、スペーサ１０３ｄは、電池缶１の幅広側面１ｂの幅方向端部領域Ｒ１に当接する当接部１２０と、幅広側面１ｂの幅方向中間領域Ｒ２に対向する対向部１２２と、電池缶１の幅広側面１ｂの幅方向において対向部１２２の両端に隣接する傾斜面１２１を有している。
【００８０】
そして、傾斜面１２１は幅方向端部領域Ｒ１から幅方向中間領域Ｒ２に向かう方向において、スペーサ１０３ｄの厚みが減少するように傾斜している。これにより、傾斜面１２１は、中央部の厚みが最も厚くなる凸曲面状に膨張した電池缶１の幅広側面１ｂに沿って傾斜している。したがって、膨張した電池缶１の幅広側面１ｂをスペーサ１０３ｄの当接部１２０または対向部１２２によって押圧する際に、スペーサ１０３によって電池缶１の幅広側面１ｂに応力集中が生じることを防止できる。よって、電池缶１の信頼性向上と電池性能の劣化抑制の両立が可能となる。
【００８１】
したがって、本実施形態のモジュールによれば、実施形態１のモジュール２００と同様に、角形二次電池１００の電池容器２を構成する電池缶１の幅広側面１ｂの幅方向端部領域Ｒ１をスペーサ１０３ｄ，１０３ｄの当接部１２０，１２０間で確実に保持して、角形二次電池１００の位置決め精度を向上させることができる。また、傾斜面１２１によって幅広側面１ｂへの応力集中を抑制しつつ、該幅広側面１ｂの幅方向中間領域Ｒ２に対向する対向部１２２によって電池容器２の膨張を抑制することができる。さらに、複数に分割された実施形態１のスペーサ１０３と比較して、一体的に形成された面積の大きいスペーサ１０３ｄによって電池缶１の幅広側面１ｂが押圧されるため、より確実に電池缶１の幅広側面１ｂの膨張を抑制し、電池性能の劣化をより確実に抑制することができる。
【００８２】
[実施形態７]
次に、本発明の組電池の実施形態７について、図１から図４および図１３を援用し、図１５を用いて説明する。図１５は、実施形態１の図８に相当する、本実施形態のモジュールの角形二次電池１００と中間部スペーサ１０３ｅとの位置関係を示す正面図である。
【００８３】
本実施形態のモジュールの中間部スペーサ１０３ｅは、実施形態６の中間部スペーサ１０３ｄと同様に、角形二次電池１００の高さ方向（Ｚ方向）において一体に設けられている。また、中間部スペーサ１０３ｅの傾斜面１２１は、図９に示す実施形態２の中間部スペーサ１０３，１０３ａと同様に、電池缶１の幅広側面１ｂの高さ方向中間領域Ｈ２に対向する位置で、幅広側面１ｂの幅方向（Ｙ方向）において当接部１２０と対向部１２２との間に設けられる。一方、幅広側面１ｂの高さ方向端部領域Ｈ１に対向する位置に、傾斜面１２１は設けられていない。
【００８４】
また、実施形態２と同様に、幅広側面１ｂの幅方向に沿う当接部１２０の長さＬ０は、高さ方向中間領域Ｈ２から、高さ方向端部領域Ｈ１に向かう方向において漸次長くなっている。本実施形態のモジュールのその他の点は、前述の実施形態１のモジュール２００と同一であるので、同一の部分には同一の符号を付して説明は省略する。
【００８５】
本実施形態のモジュールによれば、中間部スペーサ１０３ｅが角形二次電池１００の高さ方向において一体的に設けられていることで、実施形態６の中間部スペーサ１０３ｄと同様の効果が得られる。また、幅広側面１ｂの幅方向に沿う当接部１２０の長さＬ０は、高さ方向中間領域Ｈ２から高さ方向端部領域Ｈ１に向かう方向において漸次長くなっているので、実施形態２のスペーサ１０３ａと同様に、電池缶１の幅広側面１ｂの高さ方向端部領域Ｈ１において、幅方向端部領域Ｒ１をスペーサ１０３ａの当接部１２０によってより確実に保持することができる。
【００８６】
[実施形態８]
次に、本発明の組電池の実施形態８について、図１から図４および図１３を援用し、図１６を用いて説明する。図１６は、実施形態１の図８に相当する、本実施形態のモジュールの角形二次電池１００と中間部スペーサ１０３ｆとの位置関係を示す正面図である。
【００８７】
本実施形態のモジュールの中間部スペーサ１０３ｆは、実施形態６の中間部スペーサ１０３ｄと同様に、角形二次電池１００の高さ方向（Ｚ方向）において一体に設けられている。中間部スペーサ１０３ｆの傾斜面１２１は、図１０に示す実施形態３の中間部スペーサ１０３，１０３ｂと同様に、幅広側面１ｂの高さ方向端部領域Ｈ１および高さ方向中間領域Ｈ２の双方に対向する位置で、幅広側面１ｂの幅方向（Ｙ方向）において当接部１２０と対向部１２２との間に設けられている。
【００８８】
また、中間部スペーサ１０３ｆの傾斜面１２１は、図１０に示す実施形態３の中間部スペーサ１０３，１０３ｂと同様に、電池缶１の幅広側面１ｂの高さ方向中間領域Ｈ２に対向する対向部１２２の幅広側面１ｂの幅方向における長さＬ２が、高さ方向端部領域Ｈ１に対向する対向部１２２の同方向の長さＬ２よりも長い。すなわち、幅広側面１ｂの幅方向に沿う対向部１２２の長さＬ２は、高さ方向端部領域Ｈ１から高さ方向中間領域Ｈ２に向かう方向において漸次長くなる。
【００８９】
また、スペーサ１０３ｆの電池缶１の幅広側面１ｂの高さ方向端部領域Ｈ１に対向する当接部１２０の同方向の長さＬ０は、高さ方向中間領域Ｈ２に対向する当接部１２０の同方向の長さＬ０よりも長い。すなわち、電池缶１の幅広側面１ｂの幅方向に沿う当接部１２０の長さＬ０は、高さ方向中間領域Ｈ２から高さ方向端部領域Ｈ１に向かうにしたがって漸次長くなる。本実施形態のモジュールのその他の点は、前述の実施形態１のモジュール２００と同一であるので、同一の部分には同一の符号を付して説明は省略する。
【００９０】
本実施形態のモジュールによれば、中間部スペーサ１０３ｆが角形二次電池１００の高さ方向において一体に設けられているので、実施形態６のモジュールと同様の効果が得られる。また、幅広側面１ｂの幅方向に沿う対向部１２２の長さＬ２は、高さ方向端部領域Ｈ１から高さ方向中間領域Ｈ２に向かう方向において漸次長くなり、同方向に沿う当接部１２０の長さＬ０は、高さ方向中間領域Ｈ２から高さ方向端部領域Ｈ１に向かう方向において漸次長くなるので、実施形態３のモジュールと同様の効果を得ることができる。
【００９１】
[実施形態９]
次に、本発明の組電池の実施形態９について、図１から図４および図１３を援用し、図１７を用いて説明する。図１７は、実施形態１の図８に相当する、本実施形態のモジュールの角形二次電池１００と中間部スペーサ１０３ｇとの位置関係を示す正面図である。
【００９２】
本実施形態のモジュールの中間部スペーサ１０３ｇは、実施形態６の中間部スペーサ１０３ｄと同様に、角形二次電池１００の高さ方向（Ｚ方向）において一体に設けられている。
【００９３】
中間部スペーサ１０３ｇにおいては、図１１に示す実施形態４の中間部スペーサ１０３，１０３ｃと同様に、幅広側面１ｂの高さ方向端部領域Ｈ１に対向する位置で、傾斜面１２１は、幅広側面１ｂの幅方向（Ｙ方向）において当接部１２０と対向部１２２との間に設けられている。一方、高さ方向中間領域Ｈ２に対向する位置で、傾斜面１２１は、電池缶１の幅広側面１ｂの幅方向両端部に設けられている。本実施形態のモジュールのその他の点は、前述の実施形態１のモジュール２００と同一であるので、同一の部分には同一の符号を付して説明は省略する。
【００９４】
本実施形態のモジュールによれば、中間部スペーサ１０３ｇが角形二次電池１００の高さ方向において一体に設けられているので、実施形態６のモジュールと同様の効果が得られる。また、傾斜面１２１は、幅広側面１ｂの高さ方向端部領域Ｈ１に対向する位置で、当接部１２０と対向部１２２との間に設けられ、高さ方向中間領域Ｈ２に対向する位置で、幅方向両端部に設けられているので、実施形態４のモジュールと同様の効果を得ることができる。
【００９５】
[実施形態１０]
次に、本発明の組電池の実施形態１０について、図１から図４および図１３を援用し、図１８を用いて説明する。図１８は、実施形態１の図８に相当する、本実施形態のモジュールの角形二次電池１００と中間部スペーサ１０３ｈとの位置関係を示す正面図である。
【００９６】
本実施形態のモジュールの中間部スペーサ１０３ｈは、実施形態６の中間部スペーサ１０３ｄと同様に、角形二次電池１００の高さ方向（Ｚ方向）において一体に設けられている。
【００９７】
中間部スペーサ１０３ｈは、図１２に示す実施形態５の中間部スペーサ１０３ａ，１０３ｃと同様に、高さ方向端部領域Ｈ１に対向する位置において、当接部１２０および対向部１２２を有し、傾斜面１２１を有さない。また、中間部スペーサ１０３ｈは、実施形態５の中間部スペーサ１０３ａ，１０３ｃと同様に、高さ方向中間領域Ｈ２に対向する位置において、傾斜面１２１および対向部１２２を有し、当接部１２０を有さない。
【００９８】
本実施形態のモジュールによれば、中間部スペーサ１０３ｈが角形二次電池１００の高さ方向において一体に設けられているので、実施形態６のモジュールと同様の効果が得られる。また、高さ方向端部領域Ｈ１に対向する位置において、当接部１２０および対向部１２２を有し、高さ方向中間領域Ｈ２に対向する位置において、傾斜面１２１および対向部１２２を有することで、実施形態５のモジュールと同様の効果が得られる。
【００９９】
以上、図面を用いて本発明の実施の形態を詳述してきたが、具体的な構成はこの実施形態に限定されるものではなく、本発明の要旨を逸脱しない範囲における設計変更等があっても、それらは本発明に含まれるものである。
【符号の説明】
【０１００】
１      電池缶（電池容器）
１ｂ    幅広側面
２      電池容器
３      捲回群（電極群）
６      電池蓋（電池容器）
３２    負極電極
３４    正極電極
１００  角形二次電池
１０３  スペーサ
１２０  当接部
１２１  傾斜面
１２２  対向部
２００  モジュール（組電池）
Ｌ０    当接部の長さ
Ｌ２    対向部の長さ
Ｒ１    幅方向端部領域
Ｒ２    幅方向中間領域
Ｈ１    高さ方向端部領域
Ｈ２    高さ方向中間領域
Ｘ      厚さ方向
Ｙ      幅方向
Ｚ      高さ方向
【図１】
2015064959.tif 000003
【図２】
2015064959.tif 000004
【図３】
2015064959.tif 000005
【図４】
2015064959.tif 000006
【図５】
2015064959.tif 000007
【図６】
2015064959.tif 000008
【図７】
2015064959.tif 000009
【図８】
2015064959.tif 000010
【図９】
2015064959.tif 000011
【図１０】
2015064959.tif 000012
【図１１】
2015064959.tif 000013
【図１２】
2015064959.tif 000014
【図１３】
2015064959.tif 000015
【図１４】
2015064959.tif 000016
【図１５】
2015064959.tif 000017
【図１６】
2015064959.tif 000018
【図１７】
2015064959.tif 000019
【図１８】
2015064959.tif 000020